(57)【要約】      （修正有）【課題】外部からは殆ど情報を見ることができず、受取人が最外部のシートを剥離した時にのみ詳しい情報が見られるようにした感熱配送伝票の提供。【解決手段】感熱配送伝票は、上層シートと下層シートとからなり、主に熱的に下層シートに情報を記載することができる２枚の感熱記録シート組みと、その下に設けたタックシートとからなり、前記上層シートは、上面の一部に感熱記録が可能な箇所が含まれないか、少なくとも1カ所設け、その感熱記録可能箇所以外の部分は感熱記録できないものであり、裏面には熱により転写するロイコ染料を含む感熱複写インキ層を有し、前記下層シートは、前記上層シートに対面している感熱記録面を有し、前記タックシートは、配送される物品に貼付可能な粘着剤層を前記下層シートと反対側面に有し、また配送物品に貼付時に剥がす剥離紙を有し、前記上層シートを剥離した時に、前記下層シートが前記タックシートから剥離されない。【選択図】図２
2020093499.tif 000002
【特許請求の範囲】
【請求項１】
上層シートと下層シートとからなり、主に熱的に下層シートに情報を記載することができる２枚の感熱記録シート組みと、その下に設けたタックシートとからなり、上から上層シート、下層シートおよびタックシートの順にそれぞれ剥離可能に接着されている感熱配送伝票であって、
前記上層シートは、上面の一部に感熱記録が可能な箇所が含まれないか、少なくとも1カ所設け、その感熱記録可能箇所以外の部分は感熱記録できないものであり、
裏面には熱により転写するロイコ染料を含む感熱複写インキ層を有し
前記下層シートは、前記上層シートに対面している感熱記録面を有し、
前記タックシートは、配送される物品に貼付可能な粘着剤層を前記下層シートと反対側面に有し、また配送物品に貼付時に剥がす剥離紙を有し、
前記上層シートを剥離した時に、前記下層シートが前記タックシートから剥離されない、ことを特徴とする感熱配送伝票。
【請求項２】
前記上層シートは、下層シートの熱印字が見えるように、窓部分を設ける請求項１記載の感熱配送伝票。
【請求項３】
２枚の感熱記録シート組みと、タック紙の間に別の用紙を丁合した請求項１または２記載の感熱配送伝票。
【発明の詳細な説明】
【技術分野】
【０００１】
本発明は感熱配送伝票、特に荷物送付時に荷物に貼付して送付する配送伝票であって、外側からは配送伝票に記載する詳細な情報が解らないような構成を有する感熱配送伝票に関する。
【背景技術】
【０００２】
現在の宅配便などの荷物配送時に、配送伝票が付着されて配達されるが、荷物の中身の情報や住所などの個人情報と言えるものが記載されていて、それらは荷物の表面から見えるようになっている。しかし、荷物の中身の情報や住所などの情報は、荷物を扱う人全てが必要な情報ではない。また、荷物の運搬に関係ない人がその情報を盗み見することも起こる。そのような個人的な情報は、隠ぺいした状態で送ることができると都合が良い。更に、届け先の住所の情報もバーコードか何かの方法で記載して、配達する人間だけが解るようにすれば、荷物表面に明記している必要は必ずしもない。
【発明の概要】
【発明が解決しようとする課題】
【０００３】
本発明は、荷物に貼付することができる感熱配送伝票であって、外部からは殆ど情報を見ることができず、受取人が最外部のシートを剥離した時にのみ詳しい情報が見られるようにした感熱配送伝票を提供することを目的とする。
【課題を解決するための手段】
【０００４】
即ち、本発明は、上層シートと下層シートとからなり、主に熱的に下層シートに情報を記載することができる２枚の感熱記録シート組みと、その下に設けたタックシートとからなり、上から上層シート、下層シートおよびタックシートの順にそれぞれ剥離可能に接着されている感熱配送伝票であって、
前記上層シートは、上面の一部に感熱記録が可能な箇所が含まれないか、少なくとも１カ所設け、その感熱記録可能箇所以外の部分は感熱記録できないものであり、
裏面には熱により転写するロイコ染料を含む感熱複写インキ層を有し
前記下層シートは、前記上層シートに対面している感熱記録面を有し、
前記タックシートは、配送される物品に貼付可能な粘着剤層を前記下層シートと反対側面に有し、また配送物品に貼付時に剥がす剥離紙を有し、
前記上層シートを剥離した時に、前記下層シートが前記タックシートから剥離されない、ことを特徴とする感熱配送伝票を提供する。
【０００５】
本発明は、以下の態様を含む：
前記上層シートは、下層シートの熱印字が見えるように、窓部分を設ける。
２枚の感熱記録シート組みと、タック紙の間に別の用紙を丁合している。
【発明の効果】
【０００６】
本発明の感熱配送伝票は、個人情報を保護するために配送する物品に貼付されるものであり、外部から個人的な情報や配送される物品が何であるかが解らないようになっている。感熱配送伝票の上層シートを剥がすと、必要な情報が記載されていて、受取人が詳細な情報を確認することが可能である。外部から個人的な情報は解らないとはいっても、バーコード等で運搬する人には住所が解るようにするために、上層シートには最低限必要な情報を熱印字できるように、感熱記録が可能な個所を少なくとも１カ所設けている。あるいは、上層シートからは、内部に情報が印字されているかどうかを確認する部分も設けられる。
【図面の簡単な説明】
【０００７】
【図１】図１は、本発明の感熱配送伝票の断面図を示す。
【図２】図２は、本発明の感熱配送伝票の外観の模式斜視図である。
【図３】図３は、上層シート１を図１の矢印５の方向から見た平面図である。
【図４】図４は、下層シート２を図１の矢印５の方向から見た平面図である。
【図５】図５は、本発明の感熱配送伝票の連続帳票の外観図である。
【発明を実施するための形態】
【０００８】
図１には、本発明の感熱配送伝票の断面図を示し、図１の矢印に示されている方向、即ち上から、１は上層シート、２は下層シートおよび３はタックシートを示し、上層シート１と下層シート２とで感熱記録シート組み４が構成される。感熱記録シート組み４は、矢印５の方向から（即ち、上から）熱を印加して熱印字する。
【０００９】
上層シート
上層シート１は、上面の一部に感熱記録が含まれないか、または感熱記録が可能箇所を少なくとも１カ所設け、その感熱記録可能箇所以外の部分は感熱記録できないものである。図２には、本発明の感熱配送伝票の外観の模式斜視図であって、上層シート１が一部剥離されて下層シート２の一部が見えている状態を記載している。また、図３には、上層シート１を図１の矢印５の方向から見た平面図を示している。図２および３の上層シート１には、感熱記録が可能な個所１５が１カ所示されていて、また隠蔽の為の印刷が無く下層シートの発色した印字を確認できる窓部分１０を複数箇所記載している。感熱記録が可能な個所１５が無い場合も存在するが、説明のため図1〜４には感熱記録が可能な個所１５を設けた態様で説明する。感熱記録が可能な個所１５以外の個所２０は、感熱記録ができない個所であり、実際には情報を図１の矢印５の方向から熱印字するのであるが、上層シート１では感熱記録が可能な箇所１５以外の個所２０には情報が印字されない。感熱記録ができない個所２０には、下層シート２に印字された文字が見えないように、着色されていたり、隠蔽模様が印刷されていたりする。必要に応じて、その他の情報、例えば「納品書在中」や「○○運輸」等を記載していても良い。前述のように、窓部分１０が下層シート２に熱印字がされているかどうかを確認するための部分であって、窓部分１０は、下層シートに記録した熱印字情報の一部が見えればよく、窓空きである必要は無く、印刷が無く下の印字が見えるシートのみの部分であっても良い。本発明の感熱配送伝票には、必要に応じてミシン目１００を、用紙の切り離しを容易にするために設けても良い。
【００１０】
図４は、上層シート１を剥がした時に見える下層シート２を図１に矢印５の方向から見た図である。下層シート２の表面には、通常荷物の配送に必要な詳しい情報（例えば、受取人の名前、住所、配送品名、発送日、配達日等）が熱印字により記載される。もちろん、図４は一例であって、この通りである必要は無い。上層シート１に存在する感熱記録が可能な個所１５および窓部分１０に対応する部分は、図４では点線の四角で表されていて、この部分には上層シート１と同じ情報が記録されていても、記載されていなくてもよい。
【００１１】
上層シート１は、上面の一部に感熱発色層を有する。上層シート１は、例えば、ポリエステルフィルム、ポリカーボネートフィルムおよび紙シート等から任意に選択される材料であってよい。本発明では、特に好ましくは、上層シートは、厚さが２５〜６０ｇ／ｍ２の範囲の材料を使用する。上層シートの厚さが２５ｇ／ｍ２よりも薄いと、表面および／または裏面への各層形成のための塗布工程において、作業性が極端に悪化し、逆に６０ｇ／ｍ２よりも厚いと、サーマルプリンターのサーマルヘッドの熱伝導が悪くなり、下層シート２における十分な転写発色濃度が達成し難くなる。
【００１２】
感熱発色層は、通常ＵＶ硬化型感熱オフセットインキと呼ばれるものを使用して形成するが、感熱発色の為には基本的に発色剤と顕色剤を含有する。好適な発色剤は、ロイコ染料であり、具体的には、感熱紙に常用されるトリフェニルメタン系化合物、トリフェニルメタンフタリド系化合物、フルオラン系化合物、フェノチアジン系化合物、インドリルフタリド系化合物、ロイコオーラミン系化合物、ローダミンラクタム系化合物、トリアゼン系化合物およびスピロピラン系化合物等のロイコ体（例えば、クリスタルバイオレットラクトン、マラカイトグリーンラクトン、３，３−ビス(p-ジメチルアミノフェニル)−６−ジメチルアミノフタリド、２−（Ｎ−（３’−トリフルオロメチルフェニル）‐アミノ）−６‐ジエチルアミノフルオラン、３−ジエチルアミノ−７−メチルフルオラン、３−ジエチルアミノ−６−メチル−７−クロロフルオラン、３−ジエチルアミノ−６−メチル-7-キシリジノフルオラン、３−ジエチルアミノ−７−ジベンジルアミノフルオラン、３−ジエチルアミノ−７−アニリノフルオラン、３−（Ｎ−メチルアニリノ）−７−アニリノフルオラン、３−（Ｎ−メチルアニリノ）−７−アニリノフルオラン、３−ジエチルアミノ−７−（ｍ−トリフルオロメチルアニリノ）フルオラン、３−ジエチルアミノ−６−メチル−７−アニリノフルオラン、３−（Ｎ−メチルシクロヘキシルアミノ）−６−メチル−７−アニリノフルオラン、３−ピロリジノ−６−メチル−７−アニリノフルオラン、３−ピペリジノ−６−メチル−７−アニリノフルオラン、３−（Ｎ−メチル−ｐ−トルイジノ)−６−メチル−７−アニリノフルオラン、ベンゾ−β−ナフトスピロピラン等）のような、青、赤、黒等の各種の色相で発色し得るもの、およびこれらの混合物が挙げられる。発色剤は、固体の形態でそのまま使用してもよい。特に好ましくは、発色剤として、３，３−ビス（ｐ−ジメチルアミノフェニル）−６−ジメチルアミノフタリドまたは２−（Ｎ−（３’−トリフルオロメチルフェニル）−アミノ）−６−ジエチルアミノフルオランを使用する。
【００１３】
感熱発色層に使用される顕色剤としては、感熱紙に一般に使用されるものであってよく、例えば、モンモリロナイト、アタパルジャイト、ベントナイト、活性白土、カオリン等の粘土鉱物、４−ｔ−ブチルフェノール、４−フェニルフェノール、２，２−ビス（ｐ‐ヒドロキシフェニル）プロパン、４−ヒドロキシ−４’−イソプロポキシフェニルスルホン、２，２‐ビス（ｐ−ヒドロキシフェニル）ブタン、４−ｔ−ブチルフェノールとホルムアルデヒドとの重縮合物、α−ナフトール、β−ナフトール、またはサリチル酸誘導体の金属塩のうち5-フェニルサリチル酸の亜鉛塩、５−ｔ−アミルサリチル酸の亜鉛塩、５−（４−ヒドロキシフェニル)-サリチル酸の亜鉛塩、３，５−ジ−α−メチルベンジルサリチル酸の亜鉛塩、３−メチル−５−フェニル−サリチル酸の亜鉛塩、サリチル酸とホルムアルデヒドとの縮合物の亜鉛塩等が挙げられる。これらの顕色剤は単独でまたは組み合わせて使用してよい。
【００１４】
感熱発色層にはさらに、無機顔料（カオリン、クレー、炭酸カルシウム、微粒子状無水シリカ等）、増感剤（脂肪酸アミド類、芳香族カルボン酸エステル類、脂肪酸エステル類、芳香族エーテル類等）および滑剤（パラフィンワックス、マイクロクリスタリンワックス、脂肪酸アミド、フッ化エチレン、ケイ酸アルミニウム等）が含有されていてよい。
【００１５】
使用される水溶性バインダーは、従来から感熱紙に用いられるものであってよく、例えば、澱粉、メチルセルロース、ポリビニルアルコール、カルボキシ変性ポリビニルアルコール、ポリアクリルアミド等の水溶液であってよい。また、前述のようにＵＶ硬化型感熱オフセットインキを用いる場合は、バインダーはＵＶ硬化性のポリマーまたはモノマーまたはそれらのオリゴマーを用いても良く、その場合には光重合開始剤等も必須成分として必要になる。ＵＶ硬化型感熱オフセットインキとしては、長瀬ケミカル（株）から市販のものが好適に用いられる。
【００１６】
形成される感熱発色層は、サーマルプリンターのプリンターヘッドによる８０〜１１０℃の範囲への加熱により発色するが、その色相は、使用する発色剤の種類に依存して変化する。
【００１７】
下層シート
本発明では、上層シート１と下層シート２とで、感熱記録シート組み４を構成する。従って、上層シート１での熱印字情報が下層シート２に情報が記録される。通常感熱記録シート組みは、上層シート１の感熱発色インキを印刷した面とは反対の面に熱転写層を形成し、下層シート２には顕色層を形成することで下層シート２に感熱記録が形成される。
【００１８】
熱転写層は、通常、無色ないしは淡色の発色剤および熱可融性物質（いわゆる、ワックス）を含有する。熱転写層に使用される発色剤は、前述の上層シートの感熱発色層について列挙したものから好ましく選択することができ、所望の色の感熱記録を得るのであれば、前記感熱発色層に含まれる発色剤と同一であっても異なっていてもよい。発色剤と混合可能な熱可融性物質は、融点が３０〜１１０℃のワックス状物質である。このようなワックス類としては、例えば、カルナウバワックス、モンタンワックス、オーリキュリーワックス、キャンデリラワックス、シュガーケーンワックス、ココナッツワックス、パラフィンワックス、マイクロクリスタリンワックス、ヘキストワックス（ＯＰ、Ｏ等）、パリコワックス（ＷＢワックス等）、ＮＰＳワックス、ライスワックス、低分子ポリエチレンワックス、ステアリン酸、パルミチン酸、ミリスチン酸、脂肪酸アミド（ステアリン酸アミド等）、ケトンワックス（ステアロン等）が挙げられるが、これらに限定されるものではない。ここで、「ワックス状物質」という用語とは、加熱溶融により低粘度の液状となり、融点以下に冷却すると再び凝固して固体状となる物質を意味するものであって、当該分野において一般に知られている高級脂肪酸と高級アルコールとのエステルのみを表すものではない。
【００１９】
本発明において、前記熱転写層には、低エネルギーのサーマルプリンターによる複写性のような機能を付与するために、必要に応じて鉱物油、ケイ酸テトラウンデシル、ケイ酸テトラジデシル、ケイ酸テトラトリデシル、塩化パラフィン等の可塑剤等を更に添加することも可能である。
【００２０】
下層シート２には、上層シート１と対面する面に顕色剤層を有する。顕色剤は、上層シートを透過した情報態様の熱的作用により、この顕色剤層に記録され得る。そのため、顕色剤層の組成は、上層シートを透過した情報態様の熱の付与によって前記熱転写層から転写されたロイコ染料を発色させ、印字記録を形成するものであればよく、好ましくは顕色剤、およびラテックスまたはバインダーを含有する。顕色剤としては、上層シートに形成される感熱発色層中に配合されるものと同様のものが例示されるが、より好ましくは、感熱性に特に優れた２種以上の顕色剤を混合して使用する。本発明で使用するのに最も好ましい顕色剤は、フェノール性物質、例えば２，２−ビス（ｐ−ヒドロキシフェニル）プロパンあるいは４−ヒドロキシ−４’−イソプロポキシフェニルスルホンとサリチル酸誘導体の亜鉛塩（特に、３，５−ジ−α−メチルベンジル-サリチル酸の亜鉛塩）との混合物である。顕色剤層に含まれるラテックスの具体例としては、ＳＢＲラテックス、ＮＢＲラテックス、ＰＳＢＲラテックス等が挙げられ、またバインダーの具体例としては、澱粉、ポリビニルアルコール等の水溶液が挙げられる。
【００２１】
下層シート２の基材としては、上層シート１について記載したものがいずれも使用できる。下層シート２の顕色剤層を有する面には、上層シート１に記載したのと同じ方法で別の情報や記載欄等を形成されていてよく、上層シートを透過した情報態様の熱的作用により情報が熱転写され得る。
【００２２】
タックシート
タックシート３は、その一方の面に、クロロプレンゴム系、ニトリルゴム系、スチレン−ブタジエンゴム系等の任意の感圧接着剤を塗布することによって感圧接着剤層を形成した後、それを剥離紙で更に被覆することによって提供される。使用されるタックシート３は、上層シート１や下層シート２について記載したものから任意に選択されてよいが、下層シート２と対向する面には情報記入欄を有しない。すなわち、本発明の感熱複写伝票において、タックシート３上には、上層シート１および下層シート２を透過した情報態様の熱的作用により情報は記録されない。剥離紙としては、複写伝票の使用前の保管中および搬送中における感圧接着剤層の汚染および他の物品への接着を回避するためのものであり、当該分野において従来から使用されているもの（例えば、シリコーン加工紙、ワックス加工紙等）がいずれも使用できる。
【００２３】
必要に応じて、感熱記録シート組み４と、タックシート３との間に別の用紙を丁合して導入しても良い。この別のシートは例えば感熱記録シート組みと同じ材質であってよく、ポリエステルフィルム、ポリカーボネートフィルムおよび紙シート等から任意に選択される材料であってよい。このシートの存在により、シート形状が保持される。この態様の別のシートは、図示していない。
【００２４】
感熱配送伝票
本発明の感熱配送伝票では、サーマルプリンターで詳細な情報を印字して使用するのであるが、感熱配送伝票の表面には殆ど詳しい或いは詳細な情報は印字されず、しかも外部からは内部の情報を見ることができないようになっている。しかし、熱印字した時に２枚目には、詳細な情報が印字されていて、配送時には全ての情報が表面からは見えないが、受取人に届いた時点で上層シートを剥がすと詳しい情報が確認できるようになっている。尚、本明細書中では「配送伝票」という名前を用いているが、いわゆる配送伝票に限るものではなく、配送される物に貼付されるものであればよく、納品書その他の書類であっても構わない。
【００２５】
本発明の感熱配送伝票は、上層シート１と下層シート２はタックシート３に接着されているが、表紙に該当する上層シート１を剥がす時に下層シート２も同時にタックシート３から剥がれてしまうと、下層シート２の詳細な情報が見にくいので、上層シート１は下層シート２と同時に剥がれないように、接着されている。下層シート２もタックシート３に接着されているのであるが、上層シート１だけが簡単に剥がれるように、剥がす部分に案内書きや印を着けてその部分は接着しないようにしてもよい。但し、熱印字時に、最初にシートを導入する部分は、接着して剥がれないようにしないと、サーマルプリンターに入らなくなったり機械に噛んでしまったりするので、印字方向に対して先端部分３０の接着は強く、後方部分３１の接着を弱く或いは部分接着等により容易に剥がれるような構成にする。また、伝票の横からプリンタで印字した情報が簡単に見ることが出来ないように点のパターンで伝票の長手方向の端部または縁部を仮接着する。
【００２６】
本発明の感熱配送伝票は、印字方向の先端部分３０の接着は確実に或いは強固で剥がし難くするが、印字方向の後方部分３１の接着は上層シート１が下層シート２に軽く接着する程度の接着で良い。場合によっては、ミシン目１００を入れてそれによりシートを保持するようにするだけでも良い。或いは仮接着の方法で接着しても良い。下層シート２は、タックシートに接着しても良いが、必要に応じて下層シート２のみを剥がして保管したりすることもあるので、感熱配送伝票の先端部分３０と後方部分３１のみを強固に接着して、接着部を外れた部分にミシン目１００を入れて、情報部分のみを切り離せるようにしても良い。図では、ミシン目は感熱配送伝票の後方部分３１のみ設けているが、先端部分３０にも設けて切り離しを容易にするようにしても良い。
【００２７】
本発明の感熱配送伝票は、図５に見られるように、連続感熱配送伝票として、サーマルプリンターに連続的に導入されるようにしてもよい。この図５では、印字方向が別の矢印で示されている。連続感熱配送伝票とする場合には、各感熱配送伝票の間はミシン目等で分離可能にされている。
【産業上の利用可能性】
【００２８】
本発明の感熱配送伝票は、最近の個人情報を保護するために配送する物品に貼付されるものであり、外部から個人的な情報や配送される物品が何であるかが解らないようになっているので、利用価値が高い。
【符号の説明】
【００２９】
１…上層シート
２…下層シート
３…タックシート
４…感熱記録シート組み
５…感熱印字方向
１０…感熱記録が可能箇所
２０…感熱記録ができない個所
３０…印字方向の先端部分
３１…印字方向の後方部分
１００…ミシン目
【図１】
2020093499.tif 000003
【図２】
2020093499.tif 000004
【図３】
2020093499.tif 000005
【図４】
2020093499.tif 000006
【図５】
2020093499.tif 000007